(57)【要約】  本発明では、１つ以上の送信期間を有するブロードキャストチャネル信号の一部としてブロードキャストチャネル情報を送信するための方法を提供する。各送信期間は複数の送信部分を含み、送信部分のうちの１つ以上はアクティブフレームである。アクティブフレームではブロードキャストチャネル情報が送信される。ブロードキャストチャネル情報に存在する不変部分は、任意の変化部分とは別個に識別され、送信用に符号化される。変化部分は送信特異的な構成を選択するために用いられる。受信器は復号中に送信特異的な構成を検出することが可能である。不変部分を符号化するために用いられる送信特異的な構成を検出すると、変化部分の値が識別され、受信したブロードキャストチャネル情報の一部として再導入されることが可能である。
2010528569.tif 000002
【特許請求の範囲】
【請求項１】
無線通信システムにおいて、複数の送信部分を各々含む１つ以上の送信期間を有するブロードキャストチャネル信号の一部としてブロードキャストチャネル情報を送信するための方法であって、前記送信部分のうちの１つ以上は、各ブロードキャストチャネル信号の一部として送信されるブロードキャストチャネル情報が、特定の送信期間内にアクティブフレームの各々について静的なままである不変部分と、各連続するアクティブフレームについて予想される通りに変化する変化部分とを含むアクティブフレームであり、前記方法は、
変化部分を不変小部分および変化小部分へとさらに分割することと、変化小部分は前記特定の送信期間内に値が変化する１つ以上のビットを含むことと、
各アクティブフレームのブロードキャストチャネル情報から不変部分および不変小部分を識別することによって、各アクティブフレームについて送信期間内に変化しない不変ブロードキャストチャネル情報を形成することと、
送信特異的な構成を用いて、送信期間内の各アクティブフレームについて不変ブロードキャストチャネル情報を符号化することと、各アクティブフレームは、送信期間の開始部境界に対するアクティブフレームの位置に基づき異なる送信特異的な構成を用いて符号化されることと、
各送信期間の各アクティブフレームについて符号化した不変ブロードキャストチャネル情報を連続的に送信することによって、ブロードキャストチャネル信号を形成することと、からなる方法。
【請求項２】
送信特異的な構成は送信に特異的なチャネルインタリーブを提供する請求項１に記載の方法。
【請求項３】
送信特異的な構成は送信に特異的なチャネルスクランブルを提供する請求項１に記載の方法。
【請求項４】
ブロードキャストチャネル信号は１つ以上のセルラー基地局トランシーバのうちの１つからブロードキャストが行われ、ブロードキャストチャネル信号を形成する不変ブロードキャストチャネル情報は、送信特異的な構成を用いるアクティブフレームを有することに加え、同信号を送信する特定のセルラー基地局トランシーバに基づくセル特異的な構成を用いて符号化される、請求項１に記載の方法。
【請求項５】
セル特異的な構成はセル特異的なチャネルインタリーブを提供する請求項４に記載の方法。
【請求項６】
セル特異的な構成はセル特異的なチャネルスクランブルを提供する請求項４に記載の方法。
【請求項７】
ブロードキャストチャネル信号を受信すると、ブロードキャストチャネル信号の復号に成功したとき、特定のアクティブフレームを符号化するために用いられたものとして識別された送信特異的な構成に基づき、変化小部分が決定される、請求項１に記載の方法。
【請求項８】
特定のフレームに関連したブロードキャストチャネル信号を受信すると、１つ以上の送信特異的な構成を仮定してブロードキャストチャネル情報の復号が試みられる請求項１に記載の方法。
【請求項９】
特定のアクティブフレームに関連したブロードキャストチャネル信号の復号が不可能である場合、さらなる１つ以上の連続的に送信されたアクティブフレームを受信し、アクティブフレームの各々について、アクティブフレームの各々の相対的な送信シーケンスと一致する送信特異的な構成を仮定して、特定のアクティブフレームと、前記さらなる１つ以上の連続的に送信されたアクティブフレームとを含む複数のアクティブフレームの復号および組み合わせを試みる、請求項８に記載の方法。
【請求項１０】
送信期間の開始部境界は、変化部分の法ｎの値が０に等しい送信期間の第１の送信と一致するように整合されており、ｎは送信期間における送信部分の数であり、送信期間における送信部分の数は２の整数乗の値を有する、請求項１に記載の方法。
【請求項１１】
変化小部分を形成するビット数は送信期間における送信部分の数を識別するための前記２の整数乗の指数と等しい請求項１０に記載の方法。
【請求項１２】
ブロードキャストチャネル情報から不変小部分を識別した後、かつ、送信特異的な構成を用いて、送信期間内の各アクティブについて不変ブロードキャストチャネル情報を符号化する前に、１つ以上の符号化技術を用いて不変ブロードキャストチャネル情報をさらに符号化することが可能である請求項１に記載の方法。
【請求項１３】
複数の送信部分を各々含む１つ以上の送信期間と、前記送信部分のうちの１つ以上は、各ブロードキャストチャネル信号の一部として送信されるブロードキャストチャネル情報が、特定の送信期間内にアクティブフレームの各々について静的なままである不変部分と、各連続するアクティブフレームについて予想される通りに変化する変化部分とを含むアクティブフレームであることと、
変化部分は不変小部分および変化小部分を含むことと、変化小部分は前記特定の送信期間内に値が変化する１つ以上のビットを含むことと、不変部分を用いて不変小部分を識別することによって、各アクティブフレームについて送信期間内に変化しない不変ブロードキャストチャネル情報を形成することと、変化小部分を用いて、送信期間の開始部境界に対するアクティブフレームの位置と一致する変化小部分の値に基づき、特定のアクティブフレームの不変ブロードキャストチャネル情報に対しそれぞれ適用される送信特異的な構成が決定されることと、を含むブロードキャストチャネル信号。
【請求項１４】
送信期間の開始部境界は、変化部分の法ｎの値が０に等しい送信期間の第１の送信と一致するように整合されており、ｎは送信期間における送信部分の数であり、送信期間における送信部分の数は２の整数乗の値を有する、請求項１３に記載のブロードキャストチャネル信号。
【請求項１５】
送信特異的な構成は送信に特異的なチャネルインタリーブを提供する請求項１３に記載のブロードキャストチャネル信号。
【請求項１６】
送信特異的な構成は送信に特異的なチャネルスクランブルを提供する請求項１３に記載のブロードキャストチャネル信号。
【請求項１７】
１つ以上の送信期間の形態で無線通信信号を受信するための受信器と、各送信期間は複数の送信部分を含み、前記送信部分のうちの１つ以上はアクティブフレームであることと、
受信した信号を、送信の符号化前に送信されるべく意図されたデータの不変部分へ変換するための復号器と、復号器はコントローラを備えることと、コントローラは、送信期間の開始部境界に対する送信位置に関連した送信特異的な構成にそれぞれ対応する複数の復号シーケンスのうちの１つを用いて、受信した各アクティブフレームの復号を試みるように構成されていることと、
複数の復号シーケンスのうち、特定のアクティブフレームに関連して受信した無線信号の復号を成功させると判定された１つを用いて、送信されるべく意図されたデータの不変部分が変化部分へ再導入されることと、を含む無線通信デバイス。
【請求項１８】
コントローラは複数のアクティブフレームを組み合わせるようにさらに構成されており、受信したアクティブフレームのうちの１つ以上を個別に復号することが不可能であるとき、複数のアクティブフレームを組み合わせる前に、組み合わせる前に受信したフレームに対し仮定の復号シーケンスが適用されることと、アクティブフレームの各々に対し適用された前記仮定の復号シーケンスは、仮定した送信期間内の複数のアクティブフレームの相対的な受信関係と一致する、請求項１７に記載の無線通信デバイス。
【請求項１９】
無線通信信号はブロードキャストチャネルであり、各無線通信信号の一部として送信されるブロードキャストチャネル情報は、特定の送信期間内の複数のアクティブフレーム送信部分の間で変化する変化部分と、特定の送信期間内の複数のアクティブフレーム送信部分の間で変化しない不変部分とを含む、請求項１７に記載の無線通信デバイス。
【請求項２０】
復号器は各アクティブフレームの受信の間の時間間隔を検出するためのタイマを備える請求項１７に記載の無線通信デバイス。
【発明の詳細な説明】
【技術分野】
【０００１】
本発明は、チャネル情報の送信および受信の管理に関し、より詳細には、無線通信システムにおけるブロードキャスト制御チャネルに関連した、変化情報および不変情報を有するチャネル情報の送信および受信の管理に関する。
【背景技術】
【０００２】
ブロードキャスト制御チャネルは、通常、ネットワークインフラから受信されるダウンリンクチャネルであり、移動体サブスクライバがネットワークを識別してアクセスを獲得するために移動体サブスクライバが必要とする、特定のパラメータを含む。多くの場合、ブロードキャスト制御チャネルは、移動体が論理チャネルと物理チャネルとの間で翻訳を行うのを補助する。ブロードキャスト制御チャネルは、そのネットワークインフラの他のチャネルにアクセスを行うのを補助する、周波数情報およびタイミング情報を含むことがある。
【０００３】
移動体サブスクライバとネットワークインフラとの間に無線通信リンクを確立させる際にはブロードキャスト制御チャネル情報が重要であるため、ブロードキャストチャネル情報の通信の信頼性を強化するように制御チャネル情報を編制および構成することは有用である。少なくとも一部の例では、データは情報を冗長に送信するとともに、誤り検出および誤り訂正情報を含むように符号化される。
【０００４】
少なくとも一部の例では、ブロードキャスト制御チャネル情報は送信期間中に通信されるように編成および構成され、ブロードキャスト制御チャネル情報のうちの一部は、その情報のうちの少なくとも一部が同じままである、即ち、静的である間に、複数回通信される場合もある。送信期間内の各個別の送信部分は、フレームと呼ばれる送信期間の特定の小期間内に埋め込まれることがあり、特定のブロードキャスト通信チャネルに関連したフレーム（本明細書ではアクティブフレームと呼ぶ）の一部または全部が、ブロードキャスト制御チャネル情報を含む場合もある。一部の例では、ブロードキャスト制御チャネル情報のうちの一部は、複数のフレームの間に変化する場合もある。
【０００５】
例えば、ブロードキャスト制御チャネルを介して周期的に送信され得る、チャネル帯域幅、基地局、および基準出力レベルなどの情報は、送信期間中を通じて静的なままである場合や、不変である場合がある。システム時間基準に相当するシステムフレーム番号など他の情報は、１つの送信期間内であっても、複数のフレームの間に変化することが許容される場合もある。
【発明の概要】
【発明が解決しようとする課題】
【０００６】
少なくとも一部の提案では、この静的な情報は、その下での状態と、少なくとも一部の例では、その情報が高信頼性に受信されることをさらに補助するように機能することの可能な符号化、変調、インタリーブ化、およびスクランブル化の組み合わせの実行される性質とを定義する様々な送信構成を用いて符号化される場合がある。同じ送信構成または関連した送信構成を用い、符号化されたデータを複数回静的に再送信することによって、特定の送信期間内の複数の送信部分または複数のアクティブフレームを通じて移動局が受信した情報を組み合わせることが可能となる。しかしながら、受信器には、フレーム間で変化するデータが、ブロードキャストチャネル情報の送信されている複数のアクティブフレーム間での符号化の後、フォーマットにどのように影響を与え得るかが常に明らかであるとは限らないので、この情報の組込、符号化またはその両方を行うことによって、１つの送信期間の複数のアクティブフレームを通じて複数の送信部分を組み合わせることがより困難となることがある。その結果、フレーム間で変化する情報は、通信される情報の信頼性を強化するために用いられる一部の符号化から除外されることがある。
【課題を解決するための手段】
【０００７】
出願人らは、一般に変化する情報のうち変化しない小部分（ｓｕｂｐｏｒｔｉｏｎ）を識別し、この不変小部分を、対応する送信器構成によって符号化されている他の変化しないデータに含めることが可能な場合があることを認識した。さらに、この変化情報のサイズは送信期間境界に対する変化情報の性質を制御することによって最小化することが可能な場合があり、この変化情報は送信用に符号化されているデータに変化情報を含めることなく通信されることが可能な場合がある。さらにまた、複数の送信部分の間で変化することが許容される一部の情報を組み合わせることに対応し、したがって、その情報をより高信頼性に受信することを可能とすることもできる。
【０００８】
本発明では、無線通信システムにおいてブロードキャストチャネル信号の一部としてブロードキャストチャネル情報を送信するための方法を提供する。ここで、ブロードキャストチャネル信号は１つ以上の送信期間を有し、各送信期間は複数の送信部分を含む。送信部分のうちの１つ以上はアクティブフレームであり、各ブロードキャストチャネル信号の一部として送信されるブロードキャストチャネル情報は、特定の送信期間内にアクティブフレームの各々について静的なままである不変部分と、各連続するアクティブフレームについて予想される通りに変化する変化部分とを含む。この方法は、変化部分を不変小部分および変化小部分へとさらに分割することを含み、変化小部分は、特定の送信期間内に値が変化する１つ以上のビットを含む。各アクティブフレームのブロードキャストチャネル情報から不変部分および不変小部分が識別されることによって、各アクティブフレームについて送信期間内に変化しない不変ブロードキャストチャネル情報が形成される。送信特異的な構成を用いて、送信期間内の各アクティブフレームについて不変ブロードキャストチャネル情報が符号化され、各アクティブフレームは、送信期間の開始部境界に対するアクティブフレームの位置に基づき異なる送信特異的な構成を用いて符号化される。次いで、各送信期間の各アクティブフレームについて符号化した不変ブロードキャストチャネル情報が連続的に送信されることによって、ブロードキャストチャネル信号が形成される。
【０００９】
１つ以上の実施形態では、特定のフレームに関連したブロードキャストチャネル信号が受信されると、１つ以上の送信特異的な構成を仮定してブロードキャストチャネル情報の復号が試みられる。特定のアクティブフレームに関連したブロードキャストチャネル信号の復号が不可能である場合、さらなる１つ以上の連続的に送信されたアクティブフレームが受信され、アクティブフレームの各々について、アクティブフレームの各々の相対的な送信シーケンスと一致する送信特異的な構成を仮定して、特定のアクティブフレームと、そのさらなる１つ以上の連続的に送信されたアクティブフレームとを含む複数のアクティブフレームの復号および組み合わせが試みられる。
【００１０】
本発明では、ブロードキャストチャネル信号をさらに提供する。このブロードキャストチャネル信号は、複数の送信部分を各々含む１つ以上の送信期間を含む。送信部分のうちの１つ以上はアクティブフレームであり、各ブロードキャストチャネル信号の一部として送信されるブロードキャストチャネル情報が、特定の送信期間内にアクティブフレームの各々について静的なままである不変部分と、各連続するアクティブフレームについて予想される通りに変化する変化部分とを含む。変化部分は不変小部分および変化小部分を含み、変化小部分は特定の送信期間内に値が変化する１つ以上のビットを含む。次いで、各アクティブフレームについて送信期間内に変化しない不変ブロードキャストチャネル情報を形成するために、不変部分を用いて不変小部分が識別される。変化小部分を用いて、送信期間の開始部境界に対するアクティブフレームの位置と一致する変化小部分の値に基づき、特定のアクティブフレームの不変ブロードキャストチャネル情報に対しそれぞれ適用される送信特異的な構成が決定される。
【００１１】
本発明では、無線通信デバイスをさらに提供する。この無線通信デバイスは、１つ以上の送信期間の形態で無線通信信号を受信するための受信器を備える。各送信期間は複数の送信部分を含み、送信部分のうちの１つ以上はアクティブフレームである。この無線通信デバイスは、受信した信号を、送信の符号化前に送信されるべく意図されたデータの不変部分へ変換するための復号器をさらに備える。復号器はコントローラを備えており、このコントローラは、送信期間の開始部境界に対する送信位置に関連した送信特異的な構成にそれぞれ対応する複数の復号シーケンスのうちの１つを用いて、受信した各アクティブフレームの復号を試みるように構成されている。このコントローラは、複数の復号シーケンスのうち、特定のアクティブフレームに関連して受信した無線信号の復号を成功させると判定された１つを用いて、送信されるべく意図されたデータの不変部分を変化部分へ再導入するようにさらに構成されている。
【図面の簡単な説明】
【００１２】
【図１】無線通信システムのカバレッジ領域の少なくとも一部を表す地理的領域の代表的な地形図。
【図２】ブロードキャストチャネル信号のブロック図。
【図３】符号化され、送信用のアクティブフレームを形成するために用いられる情報の基礎を形成する、ブロードキャストチャネル情報のブロック図。
【図４】移動体サブスクライバなど無線通信デバイスと、ブロードキャストチャネル信号の受信に関連して同通信デバイスがより直接的に通信を行うセルラーネットワークインフラの部分とのブロック図。
【図５】本発明の１つ以上の実施形態による、無線通信信号を受信し、復号するのに使用される移動体サブスクライバのより詳細なブロック図。
【図６】無線通信ネットワークにおけるブロードキャスト信号の一部としてチャネル情報のブロードキャストを行う方法のフローチャート。
【図７】セルラー通信ネットワークの対象のブロードキャストについて、無線通信デバイスにおいて連続的に送信される１つ以上のフレームを受信し、復号を試みる方法のフローチャート。
【発明を実施するための形態】
【００１３】
本発明のこれらのおよび他の目的、特徴ならびに利点は、本発明の１つ以上の好適な実施形態に関する以下の記載を添付の図面とともに参照することによって明らかとなる。
図１には、無線通信システムの少なくとも一部の代表的な地形図を示す。地形図１００は、隣接した六角形として絵で表現される複数のセル１０２を含む。この六角形は、複数の各々のセルラー領域に関連したカバレッジのフットプリントまたは領域の荒い近似に過ぎず、実際には、送信の領域はそれほど一様に形成される訳ではない。各セルは、通常、対応するセル１０２内に位置する、セル内を移動する（１０８）またはその両方である移動体サブスクライバ（ＭＳ）１０６（移動体無線通信デバイスなど）と通信を行う１つ以上の基地局トランシーバ（ＢＴＳ）１０４（サービング局と呼ばれる）によってサービス提供される。
【００１４】
移動体サブスクライバ１０６の電源が入れられるか移動体サブスクライバ１０６が新たなセルに入るとき、移動体サブスクライバはその新たなセルに関連したシグナリング情報を取得する必要がある。多くの場合、これには、新たなセルとの通信性能を確立させることに沿った同期、タイミング、および／または他の関連情報を移動局に取得させるために、１つ以上のブロードキャスト制御チャネルを監視することが含まれる。多くの場合、制御チャネル受信が他の形態の特定のセルラー領域との通信を確立させるための前兆であるので、通信接続を確立させ、ブロードキャスト制御チャネルによって伝達されている情報を受信する際の、よりロバストなおよび／または効果的な方法が所望される。ブロードキャストチャネル信号２００は１つ以上の送信期間２０２により構成され、各送信期間は複数の送信部分すなわちフレーム２０４を含む。送信部分のうちの１つ以上はアクティブフレームであり、アクティブフレームではブロードキャストチャネル情報が送信される。図２に示す実施形態では、送信期間２０２はＮ個のフレームの行に相当する。ここで、Ｎは整数値である。
【００１５】
一部の場合、ブロードキャストチャネル信号は送信期間の各フレームの一部として符号化される。他の例では、ブロードキャストチャネル情報は、対応するフレームの全部よりも少ないフレーム上で送信されることが可能である。上述のように、送信フレームの一部としてブロードキャストチャネル情報が送信されるフレームは、本出願においてはアクティブフレームとして識別される。特定の送信期間に関連したフレームの全部よりも少ないフレーム上で送信することによって、ブロードキャストチャネル信号の送信をサポートしていないフレームが、他の形態および／または種類のデータ送信に利用可能となる。
【００１６】
一部の例では、ブロードキャストチャネル信号を介して伝達されている情報をより迅速におよび／または良好に受信するために、複数のアクティブフレームを組み合わせることが望ましい場合がある。したがって、特定の送信期間内の複数のアクティブフレームを通じて少なくとも一部のブロードキャストチャネル情報の送信が反復される。しかしながら、例えば、１つ以上の説明する提案において、ブロードキャスト情報が各フレーム送信に応じて変化するシステムフレーム番号を含む場合、全部の情報を反復することは容易であるとは限らない。
【００１７】
一般に、ブロードキャストチャネル情報は、多くの場合、不変部分と変化部分との両方を含む。しかしながら、変化部分のうち一部の小部分が不変であることもある。さらに、送信期間の開始部境界値に関して変化部分の値（システムフレーム番号など）の間の関係をより詳細に制御することによって、また、送信期間における送信部分すなわちフレームの数をより詳細に制御することによって、変化部分の変化小部分における変化情報ビット数をより良好に管理することが可能である。例えば、送信期間の開始部境界の後にある第１のフレームのフレーム番号の法ｎの値が０に等しくなるようにシステムフレームに番号を付けることによって（ここで、ｎは送信期間における送信部分（すなわち、フレーム）の数である）、特定の送信期間における任意の２つの送信部分においてシステムフレーム番号が異なるビット値を有するように、ビット数を最小化することが可能である。ここで、システムフレーム番号は予想される通りに変化し、この例では、隣接した後続のフレーム毎に１だけインクリメントされる。しかしながら、当業者には、本発明の値は、上述のようにシステムフレーム番号の値が隣接した後続の送信フレームに対するインクリメントとして定義されるか否かにかかわらず、これに代えて、所定のビットの集合のみが特定の送信期間内で変化することを許されるリストの値から、特定の送信期間のフレームに対しシステムフレーム値の割当および選択が行われる場合、適切に定義された所定の予測可能なシーケンスも本発明の教示による利益を得ることが容易に認識される。
【００１８】
図３には、本発明の１つ以上の態様による、ブロードキャストチャネル情報３００を示す。一般に、ブロードキャストチャネル情報３００は、不変部分３０２および変化部分３０４を含み、変化部分３０４は、送信期間２０２内で全部のビットが変化しない、または変化させる必要がない程度まで、さらに不変小部分３０６および変化小部分３０８へと分けられる。一緒に識別された不変部分３０２および不変小部分３０６は不変ブロードキャストチャネル情報３１０を形成し、この不変ブロードキャストチャネル情報３１０が変化小部分３０８を含むことなく符号化される。変化小部分３０８は、これに代えて、少なくとも送信期間の２つ以上のアクティブフレームの間で変化する変化部分のビット値に基づき、符号化、変調、インタリーブ、およびスクランブルのユニークな組み合わせを適用する、送信特異的な構成を選択（３１２）するために用いられる。
【００１９】
この例示の実施形態では、変化小部分および／またはこの選択値は、０で開始し、各後続の隣接したフレームに対しインクリメントされる、送信期間内のフレーム数と一致する。この例示の実施形態では、符号化された不変ブロードキャストチャネル情報に変化小部分の特定の値が含まれていなかった場合にも、送信特異的な構成により符号化されたデータの分解に成功する特定の復号シーケンスによって変化小部分の値が識別されるように、変化小部分は特定の送信特異的な構成にリンクされる。このようにして、送信されている信号を形成するために用いられるデータに送信特異的な構成の方式を選択するために用いられるデータとは別に変化小部分が含まれることを必要とせずに、変化小部分が再導入されることが可能である。一部の例では、不変ブロードキャストチャネル情報は不変部分および不変小部分に加えて追加の情報を含むことが可能であり、この追加の情報は、不変チャネル情報の一部として含まれる追加の情報が送信期間の継続時間に留まる限り、すなわち、継続時間を変化させない限り、変化小部分におけるビット数に対応してもよい。
【００２０】
不変ブロードキャストチャネル情報３１０の復号については、無線通信デバイスは、送信用のデータを変更するために用いられる送信特異的な構成の性質に関して１つ以上の仮定を行い、符号化されたデータの復号を試みることが可能である。一部の例では、無線通信デバイスは各可能な仮定を循環させることが可能である。しかしながら、一部の環境では、単一のアクティブフレームの受信に基づきブロードキャストチャネル情報３００を復号することが不可能な場合がある。それらの場合、後続のアクティブフレームの受信時に、先に受信したアクティブフレームと、後に受信したアクティブフレームとを用いて、２つの受信したアクティブフレームの組み合わせを試みることが可能である。単一のアクティブフレームの復号を試みるのと同様に、特定の送信特異的な構成に対して仮定を行い、２つのアクティブフレームのうちの１つに対する送信用のデータを変更することが可能であり、第１のアクティブフレームに対する仮定とマッチする２つのフレームのうちの他方に対する他の特定の送信特異的な構成を、送信前に２つのアクティブフレームの関係の理解に基づき決定することが可能である。同様に、第１のアクティブフレームについて用いられた仮定を同様に循環させることが可能であり、２つのフレームのうちの他方についてのマッチした送信特異的な構成を決定し、対応する復号の試みを行うことが可能である。
【００２１】
この処理は、組み合わせを試みる場合、および／または以前に受信したアクティブフレームのうちのいずれかがさらなる組み合わせの試みから好適に除外されると判定される場合、分解に成功するまで、さらに追加のアクティブフレームを含むように、必要に応じて、さらに繰り返されることが可能である。以前に受信したアクティブフレームを除外する少なくとも１つの理由は、不変ブロードキャストチャネル情報が特定の送信期間のアクティブフレームの送信部分を通じてのみ不変であり、異なるアクティブフレーム間のブロードキャストチャネル情報が不変である別の以前の送信期間の部分を確認することが不可能である可能性があるという仮定において、以前に受信したアクティブフレームが除外され得るという理解に基づく場合がある。しかしながら、送信期間内で不変であるブロードキャスト情報の部分が１つの送信期間から次の送信期間まで変化しないというさらなる仮定を受信側で行う場合を含むように、不変ブロードキャスト情報および変化ブロードキャスト情報の状態に関する仮定に基づき、組み合わせおよび復号の方法を拡張することも容易に可能である。
【００２２】
図４には、移動体サブスクライバなど無線通信デバイス４１０と、ブロードキャストチャネル信号２００の受信に関連して無線通信デバイス４１０がより直接的に通信を行うセルラーネットワークインフラ４６０の部分とのブロック図４００を示す。無線通信デバイス４１０は、無線通信信号を受信するための受信器４１２を備える。無線通信デバイス４１０は、さらに、受信した無線通信信号を、送信の符号化に関連して送信されるべく意図された、データの不変部分４８０（すなわち、不変ブロードキャストチャネル情報）へ変換するための復号器４１４を備える。
【００２３】
復号器４１４はコントローラ４１６をさらに備え、コントローラ４１６は復号モジュール４１８を備える。復号モジュール４１８は、送信特異的な構成にそれぞれ対応する複数の復号シーケンスのうちの１つを用いて無線通信信号が受信されるとき、その受信した無線通信信号の各アクティブフレームの復号を試みるように構成されている。コントローラは、これに加えて、復号シーケンス選択部４２０を備える。復号シーケンス選択部４２０は、特定のアクティブフレームの復号に用いられて復号に成功した特定の復号シーケンスを識別するように構成されている。本発明の目的では、復号シーケンスは、仮定した送信器構成（すなわち、脱符号化、脱変調、脱インタリーブ、脱スクランブルの動作のシーケンス（送信器構成に適切な順序の）に対して相補的に設計された受信器の処理動作のシーケンスを意味する。次いで、識別された復号シーケンスは、データの変化部分４８２（すなわち、異なるブロードキャストチャネル情報）を識別する際に使用される送信期間の開始部境界に対する対応する送信位置とマッチされ、次いで、このデータの変化部分４８２が、図３に関連して記載したのと同一のまたは同様の手法により、データの不変部分４８０へ再導入されることが可能である。同様に、無線通信デバイス４１０の復号器４１４は、復号器４１４が単一の受信したアクティブフレームを復号することが不可能である場合に、複数のアクティブフレームの組み合わせの復号を試みるように用いられることが可能である。
【００２４】
図５には、本発明の１つ以上の実施形態による、無線通信信号を受信し、復号するのに使用される移動体サブスクライバのより詳細なブロック図５００を示す。図４に示した無線通信デバイス４００と同様に、移動体サブスクライバは無線通信信号を受信するための受信器４１２を備え、受信器４１２は復号器４１４へ接続されている。この復号器は、復号モジュール４１８および復号シーケンス選択モジュール４２０を備える。復号モジュール４１８は、先に受信したアクティブフレームを記憶するための１つ以上のバッファ５０２を備える。タイマ５０５は、第１の受信したアクティブフレームに対する仮定を考慮して、受信した他のフレームの復号に対し、より正確な関連付けを行うことが可能であるように、受信したアクティブフレームの相対的な時間関係を提供する。これによって、２つの受信したアクティブフレームの間の中間アクティブフレームが１つ以上の理由のために受信されなかったおよび／または送信されなかった場合に対応することが可能である。
【００２５】
バッファ５０２は１つ以上の復号器５０４に接続されており、復号器５０４は、受信した、１つ以上のバッファ５０２に記憶されている無線通信信号の各々に対し、１つ以上の復号シーケンスのうちの１つを選択的に個別に適用するように構成されている。１つ以上の復号シーケンスを個別に選択的に適用することは、１つ以上の復号シーケンス５０８の定義に結び付けられたデマルチプレクサ５０６によって行われる。
【００２６】
先に受信したアクティブフレームの復号が試みられると、その試みられた復号が、メトリック検出器５１２へ適用され、メトリック検出器５１２は成功した復号に関連したマッチが確認される閾値を識別する。これには、例えば、巡回冗長検査符号を検査することが含まれる。閾値検出器５１２によるマッチの成功は、バッファ５０２の各々に含まれる受信無線信号に関連した任意の変化情報を受信した対応するアクティブフレームに関連づけるために、デマルチプレクサ５０６へ通信されることが可能である。
【００２７】
図６には、無線通信ネットワークにおけるブロードキャスト信号の一部としてチャネル情報のブロードキャストを行う方法のフローチャート６００を示す。この方法は、変化単位を不変小部分および変化小部分へとさらに分割すること（６０２）を含む。不変部分および不変小部分は、不変ブロードキャストチャネル情報を形成するために識別される（６０４）。各アクティブフレームの不変ブロードキャストチャネル情報は、次いで、送信期間の開始部境界に対するアクティブフレームの位置に基づき符号化される（６０６）。符号化された不変ブロードキャストチャネル情報は、次いで、送信される（６０８）。
【００２８】
図７には、セルラー通信ネットワークの対象のブロードキャストについて、無線通信デバイスにおいて連続的に送信される１つ以上のフレームを受信し、復号を試みる方法のフローチャート７００を示す。この方法は、特定のフレームに関連して受信した、符号化された不変ブロードキャストチャネル情報からのブロードキャストチャネル情報の復号を試みること（７０２）を含む。次いで、特定のアクティブフレームの復号が可能であるか否かについての判定が行われる（７０４）。可能である場合、その特定のフレームの復号に関して、それ以上の処理は不要である。しかしながら、その復号した特定のフレームを、受信した他の関連するアクティブフレームの復号の試みの一部として用いることは可能である。不可能である場合、１つ以上の連続的に送信されたアクティブフレームを受信する（７０６）。次いで、アクティブフレームの各々に対し、アクティブフレームの各々の相対的な送信シーケンスと一致する送信特異的な構成を仮定して、複数のアクティブフレームの復号および組み合わせを試みる（７０８）。
【００２９】
本出願では、送信期間境界に関するアクティブフレームの相対的な位置に基づくアクティブフレームの各々の不変ブロードキャストチャネル情報の符号化に焦点を置いているが、本発明の教示から逸脱することなく、別の符号化も可能である。例えば、受信器において適切な復号が適用される限り、異なるセルラー基地局トランシーバからの異なる送信の区別を補助するために、セル特異的なチャネルインタリーブおよび／またはセル特異的なチャネルスクランブルを含む、セル特異的な構成を適用することが望ましい場合もある。
【００３０】
さらにまた、本出願では一般に移動局、すなわち、移動体無線通信デバイスについて参照しているが、セルラー電話機、ページャ、携帯情報端末や、セルラーネットワークインフラとの対話を通じて無線通信のサポートを行う他のデバイスを含み、かつ、それらに限定されない一般化された記載によって包含される様々な形態が、当業者には認識される。
【００３１】
本発明の好適な実施形態について図示および説明したが、本発明がそれに限定されないことが理解される。添付の特許請求の範囲に規定される本発明の精神および範囲から逸脱することなく、当業者には様々な修正、変更、変形、置換および均等物が想到される。
【図１】
2010528569.tif 000003
【図２】
2010528569.tif 000004
【図３】
2010528569.tif 000005
【図４】
2010528569.tif 000006
【図５】
2010528569.tif 000007
【図６】
2010528569.tif 000008
【図７】
2010528569.tif 000009
【国際調査報告】
2010528569.tif 000010
2010528569.tif 000011
2010528569.tif 000012